(57)【要約】      （修正有）【課題】耐衝撃性や意匠性に優れた、太陽光発電カーテンウォール太陽電池モジュール、太陽光発電型カーテンウォールを提供する。【解決手段】太陽光発電カーテンウォール太陽電池モジュールは、基板１１と基板１１上に形成された電池機能層１２を備える太陽電池セル１、及び基板１１の電池機能層１２とは反対側の表面に第２の接着フィルム５を介して設けられた保護基材３と、電池機能層１２の表面に第１の接着フィルム４を介して設けられた透光性蓋板２を備える。【選択図】図２
2019197879.tif 000002
【特許請求の範囲】
【請求項１】
基板と基板上に形成される電池機能層を有する太陽電池セルと、
前記基板の前記電池機能層とは反対側の表面に設けられる保護基材とを備える、
ことを特徴とする太陽電池モジュール。
【請求項２】
前記保護基材は、防爆ユニットを有し、
または、前記防爆ユニットは、防爆フィルム、金属板、可撓性フィルム又は弾性フィルムのいずれかであり、
前記弾性フィルムは、前記可撓性フィルムより弾性率が大きい、ことを特徴とする請求項１に記載の太陽電池モジュール。
【請求項３】
前記保護基材は基板保護板を含み、前記基板保護板は前記基板より強度が大きいことを特徴とする請求項１又は２に記載の太陽電池モジュール。
【請求項４】
前記基板保護板は、前記基板より厚さが大きいことを特徴とする請求項１〜３のいずれか１項に記載の太陽電池モジュール。
【請求項５】
前記太陽電池モジュールは透光性蓋板をさらに備え、
前記透光性蓋板は、前記電池機能層の受光面に配置され、
または、前記透光性蓋板と前記電池機能層との間には、第１の接着フィルムが形成されることを特徴とする請求項１〜４のいずれか１項に記載の太陽電池モジュール。
【請求項６】
前記透光性蓋板は、前記基板より厚さが大きいことを特徴とする請求項５に記載の太陽電池モジュール。
【請求項７】
前記透光性蓋板の板面には、装飾模様層が形成され、
前記透光性蓋板の板面は、前記電池機能層の受光面と平行する、ことを特徴とする請求項５に記載の太陽電池モジュール。
【請求項８】
前記装飾模様層は、前記透光性蓋板の板面に設けられる装飾模様を含むことを特徴とする請求項７に記載の太陽電池モジュール。
【請求項９】
前記装飾模様層は、前記透光性蓋板の板面に設けられる模様フィルム層を含むことを特徴とする請求項７に記載の太陽電池モジュール。
【請求項１０】
前記装飾模様層は、前記透光性蓋板の前記電池機能層とは反対側の表面に形成されることを特徴とする請求項７に記載の太陽電池モジュール。
【請求項１１】
前記透光性蓋板は有彩色蓋板であることを特徴とする請求項５〜１０のいずれか１項に記載の太陽電池モジュール。
【請求項１２】
前記透光性蓋板の板面には、全体が有彩色を呈する少なくとも一つの反射塗膜層又は有彩色塗膜層が形成される、ことを特徴とする請求項１１に記載の太陽電池モジュール。
【請求項１３】
前記透光性蓋板は、単重の有彩色蓋板であることを特徴とする請求項１１に記載の太陽電池モジュール。
【請求項１４】
前記電池機能層の受光面と前記透光性蓋板との間には、有彩色透明フィルムが形成されることを特徴とする請求項５〜１０のいずれか１項に記載の太陽電池モジュール。
【請求項１５】
前記保護基材の前記太陽電池セルとは反対側に設けられる少なくとも１つの中空部材をさらに備え、
前記中空部材は、互いに対向して配置される第１のプレートと第２のプレートを含み、前記第１のプレートと前記第２のプレートとの間には空気を充填するためのエアチャンバが形成されることを特徴とする請求項１〜１４のいずれか１項に記載の太陽電池モジュール。
【請求項１６】
前記基板と前記電池機能層との間には、第２の接着フィルムが形成されることを特徴とする請求項５〜１０のいずれか１項に記載の太陽電池モジュール。
【請求項１７】
請求項１〜１６のいずれか１項に記載の太陽電池モジュールを備えることを特徴とする太陽光発電型カーテンウォール。
【発明の詳細な説明】
【技術分野】
【０００１】
本発明は、建材一体型太陽光発電技術の分野に関し、特に、太陽電池モジュール、太陽光発電型カーテンウォールに関するが、これに限定されない。
【背景技術】
【０００２】
太陽光発電型カーテンウォールは、カーテンウォールの特性と発電機能を統合したエコな装飾壁体である。上記太陽光発電型カーテンウォールは、太陽光を発電に直接利用し、温室効果ガスを発生させないメリットを有する。
【０００３】
従来では、太陽光発電型カーテンウォールは、ガラスカーテンウォールと、接着フィルムを介してガラスカーテンウォールの表面に接着された太陽電池セルとを備える。しかしながら、太陽電池セルには普通のガラス基板が採用されるので、太陽電池セルが太陽光発電型カーテンウォールに適用される場合、耐衝撃性試験中に、太陽光発電カーテンウォールは安全上の問題があることが分かる。
【発明の概要】
【課題を解決するための手段】
【０００４】
以下、本発明の概要を説明するが、この説明は、本発明保護範囲を限定することは意図していない。
【０００５】
本発明の一様態に係る太陽電池モジュールは、基板と基板に形成された電池機能層を有した太陽電池セル、及び上記基板の電池機能層とは反対側の表面に設けられた保護基材を備える。
【０００６】
本発明の幾つかの実施形態において、上記保護基材は、防爆ユニットを有する。好ましくは、上記防爆ユニットは、防爆フィルム、金属板、可撓性フィルム又は弾性フィルムのいずれか１つである。上記弾性フィルムは、上記可撓性フィルムより弾性率が大きい。
【０００７】
本発明の幾つかの実施形態において、上記保護基材は基板保護板を含み、上記基板保護板は上記基板より強度が大きい。
【０００８】
本発明の幾つかの実施形態において、上記保護基材は、上記基板より厚さが大きい。
【０００９】
本発明の幾つかの実施形態において、上記太陽電池モジュールは、電池機能層の受光面に設けられる透光性蓋板をさらに含み、好ましくは、上記透光性蓋板と上記電池機能層との間には、第１の接着フィルムが形成されている。
【００１０】
本発明の幾つかの実施形態において、上記透光性蓋板は、上記基板より厚さが大きい。
【００１１】
本発明の幾つかの実施形態において、上記透光性蓋板の板面には装飾模様層が設けられる。上記透光性蓋板の板面は、上記電池機能層の受光面と平行する。
【００１２】
本発明の幾つかの実施形態において、上記装飾模様層は、上記透光性蓋板の板面に設けられた装飾模様を含む。
【００１３】
本発明の幾つかの実施形態において、上記装飾模様層は、透光性蓋板の板面に設けられた模様膜層を含む。
【００１４】
本発明の幾つかの実施形態において、上記装飾模様層は、上記透光性蓋板の電池機能層とは反対側の表面に設けられる。
【００１５】
本発明の幾つかの実施形態において、透光性蓋板は有彩色蓋板である。
【００１６】
本発明の幾つかの実施形態において、上記透光性蓋板の板面には、全体が有彩色である少なくとも１つの反射塗膜層又は有彩色塗膜層が形成される。
【００１７】
本発明の幾つかの実施形態において、上記透光性蓋板は、単層の有彩色蓋板である。
【００１８】
本発明の幾つかの実施形態において、上記電池機能層の受光面と上記透光性蓋板との間には、有彩色の透光性接着フィルムが形成される。
【００１９】
本発明の幾つかの実施形態において、上記太陽電池モジュールは、上記保護基材の太陽電池セルとは反対側に設けられた少なくとも１つの中空部材をさらに含む。上記中空部材は、対向する第１のプレートと第２のプレートを有し、上記第１のプレートと上記第２のプレートとの間には、空気を充填するためのエアチャンバが形成されている。
【００２０】
本発明の幾つかの実施形態において、上記基板と上記電池機能層との間には、第２の接着フィルムが形成される。
【００２１】
本発明の他の一様態は、上述した太陽電池モジュールのいずれかを備える太陽光発電型カーテンウォールを提供する。
【００２２】
図面及び詳細な説明を参照すると、本発明の他の様態は明確になる。
【図面の簡単な説明】
【００２３】
【図１】本発明の幾つかの実施形態に係る太陽電池セルの構造を示す図である。
【図２】本発明の幾つかの実施形態に係る太陽電池モジュールの構造を示す図である。
【図３】本発明の幾つかの実施形態に係る他の太陽電池モジュールの構造を示す図である。
【図４】本発明の幾つかの実施形態に係る太陽電池モジュールの構造を示す図である。
【図５】本発明の幾つかの実施形態に係る太陽電池モジュールの構造を示す図である。
【図６】本発明の幾つかの実施形態に係る太陽電池モジュールの構造を示す図である。
【図７】本発明の幾つかの実施形態に係る太陽電池モジュールの構造を示す図である。
【図８】本発明の幾つかの実施形態に係る太陽電池モジュールの構造を示す図である。
【図９】本発明の幾つかの実施形態に係る太陽電池モジュールの構造を示す図である。
【発明を実施するための形態】
【００２４】
以下、本発明の技術的解決策を簡潔的かつ明確的に説明するため、図面及び実施形態を参照し、本発明をさらに詳しく説明する。なお、ここに記載する実施形態は、実施形態の全てではなく、例としての一部のみである。当業者が本発明の実施形態に基づき、格別な創意工夫がなく、容易に得られる他のすべての変形的な実施形態は、本発明の保護範囲内に属するとする。
【００２５】
本発明に係る太陽光発電型カーテンウォールは、ガラスカーテンウォールと、接着フィルムによってガラスカーテンウォールの表面に接着された、図１に示すような太陽電池セル１を備える。太陽電池セル１は、基板１１と、基板１１上に形成された電池機能層１２とを有する。
【００２６】
電池機能層１２は、主に半導体素子からなり、太陽光を受光して光電変換を実行することができる。本発明において、該電池機能層１２の太陽光を受光する側面は、該電池機能層１２の受光面と称する。
【００２７】
上記基板１１は、透明又は不透明なガラス基板である。この場合、該ガラス基板からなる太陽電池セル１が太陽光発電型カーテンウォールに適用される場合、太陽光発電型カーテンウォールの耐衝撃性試験中に、上記ガラス基板は容易に破裂してしまう。
【００２８】
また、太陽電池セル１をガラスカーテンウォールに接着する上記接着フィルムが接着性に劣るため、該太陽電池セル１のガラス基板は破裂した場合、ガラス基板の破片が脱落しやすく、太陽光発電型カーテンウォールには安全上の問題が存する。
【００２９】
上記課題を解決するために、本発明の幾つかの実施形態に係る太陽電池モジュールは、図１に示す太陽電池セル１と、図２に示す保護基材３とを備える。該保護基材３は、基板１１の電池機能層１２とは反対側の表面に設けられている。
【００３０】
本発明の幾つかの実施形態において、上記電池機能層１２は堆積法によって基板１１の表面に形成されてもよいことに留意されたい。
【００３１】
上記基板１１の板面は、上記電池機能層１２の受光面と平行する。
【００３２】
又、本発明の他の幾つかの実施形態では、図２に示すように、電池機能層１２と基板１１との間には第２の接着フィルム５が形成され、電池機能層１２と基板１１とを第２の接着フィルム５によって接着させて、電池機能層１２と基板１１との接続強度を確保する。
【００３３】
また、電池機能層１２を外部環境の水分、酸素、不純物から保護するため、図２に示すように、太陽電池モジュールは、電池機能層１２の受光面に配置される透光性蓋板２をさらに有する。上記透光性蓋板２と電池機能層１２とを接着するため、上記透光性蓋板２と電池機能層１２の受光面との間には、透光性の接着フィルムである第１の接着フィルム４が形成されてもよい。
【００３４】
なお、本発明において、上記透光性蓋板２は、透光性前面板又は前面板保護板とも呼ばれ、光透過特性を満たす必要がある。
【００３５】
以上で明らかなように、基板１１の電池機能層１２とは反対側の表面には保護基材３が設けられているため、太陽電池モジュールが衝撃を受けた場合、保護基材３を利用して基板１１を保護し、基板１１の破裂可能性を抑制することができる。一方、衝撃力が大きすぎて基板１１に破裂が発生しても、基板の破片は保護基材３によって拘束されるようになる。
【００３６】
例示的には、太陽電池モジュールが建材一体型太陽光発電に基づく建物（Ｂｕｉｌｄｉｎｇ  Ｉｎｔｅｇｒａｔｅｄ  Ｐｈｏｔｏ  Ｖｏｌｔａｉｃ，ＢＩＰＶ）などに適用される場合、保護基材３は、基板１１の破裂可能性を低減するだけでなく、基板１１が破裂したとき、基板１１の破片を効果的に拘束し、基板の破片が脱落するリスクを低減し、安全事故の発生を回避することができる。
【００３７】
上記、安全事故とは、基板１１の破片が落ちて通行者を傷付けること、又は基板１１に破裂や亀裂が生じて空気が電池機能層１２に進入し、発電状態にある電池機能層が発熱して火災になることなどである。
【００３８】
また、透光性蓋板２は、電池機能層１２の受光面に接着されており、電池機能層を保護する機能も発揮できる。
【００３９】
これに基づいて、本発明の幾つかの実施形態では、上記透光性蓋板２は、太陽電池セル１に更なる保護を提供するため、強化ガラスなど強度のより高い基板で作製されてもよい。また、透光性前面板２は、太陽電池セル１を更に保護するため、樹脂等の高分子材料からなる基板で作製されてもよい。勿論、透光性前面板２は、衝撃力を緩和し基板１１への衝撃力を低減可能な透光性弾性基板を採用してもよい。
【００４０】
以下、保護基材３の異なる配置方式に応じ、上記太陽電池モジュールの構造を例示的に説明する。
【００４１】
例１
上記保護基材３は、防爆ユニットを含む。
【００４２】
本発明の幾つかの実施形態において、透光性の有無によって、保護基材３は、透光性保護基材３と非透光性保護基材３に大別される。材料によって、保護基材３は、防爆フィルム、金属板、可撓性フィルム又は弾性フィルムなどが挙げられる。防爆効果があればよい。
【００４３】
上記弾性フィルムは、可撓性フィルムより弾性率が大きい。そして、可撓性フィルムの材料は、弾性フィルムの材料より柔軟性が大きい。
【００４４】
例示的に、保護基材３が防爆フィルムである場合、防爆フィルムが商品化されているため、保護基材３としての防爆材料は、容易に購入可能である。
【００４５】
また、保護基材３が金属板である場合、金属板は強度が高いため、基板１１を保護又は支持することができるほかに、基板１１が破裂する時に、基板の破片を受け入れることにより、安全事故の発生を避ける。
【００４６】
また、保護基材３が可撓性フィルムである場合、可撓性フィルムは、良好な可撓性を有するため、太陽電池モジュールが大きな衝撃を受けた時、基板１１に作用する衝撃力を吸収し、基板の破裂を低減することができ、一方、基板の破裂後に、その破片が可撓性フィルムに接触しても、可撓性フィルムが良好な可撓性を有するので傷付けられにくく、破片を拘束し安全事故の発生を避ける効果を奏する。
【００４７】
また、保護基材３が弾性フィルムである場合、弾性フィルムは、弾性が良好であるため、太陽電池モジュールが大きな衝撃を受けた場合、基板１１に作用する衝撃力を吸収して初期状態に早く復元し、基板１１に支持、保護を提供して破裂の発生率を低減する。一方で、基板１１が破裂したとき、基板の破片が可撓性フィルムに接触しても、弾性フィルムは良好な弾性変形能力を有し、破片が弾性膜に加わる力を弾性フィルムの収縮力に変換するので、弾性フィルムは、基板の破片によって傷付けられることがなく、基板の破片を拘束する機能を発揮し、その結果、安全事故の発生を避ける。
【００４８】
更に、本発明の幾つかの実施形態に係る太陽電池モジュールは、ガラスカーテンウォールなどの建材一体型太陽光発電に基づく建物に適用される場合、建物に一定の装飾効果を持たせるため、装飾効果のある装飾模様層が追加されてもよい。
【００４９】
上記装飾模様層は、石模様、木目模様、擬似煉瓦模様などであり、これに対応して上記太陽電池モジュールは、石模様シリーズモジュール、木目模様シリーズモジュール、擬似煉瓦模様シリーズモジュールである。
【００５０】
本発明の幾つかの実施形態において、上記模様は、加飾用の凹み模様であってもよい。
【００５１】
この場合、本発明の幾つかの実施形態において、透光性蓋板２の表面には装飾模様層が形成され、この装飾模様層は上記装飾効果を奏するだけでなく、太陽光を散乱させて、建材一体型太陽光発電に基づく建物に適用される太陽電池モジュールによる反射光の強さを低減し、眩光の緩和に寄与する。
【００５２】
具体的に、本発明の幾つかの実施形態に係る太陽電池モジュールは、以下の２つの方式によって、建材一体型太陽光発電に基づく建物の表面に装飾模様層を付設する。
【００５３】
第１方式：図３に示すように、本発明の幾つかの実施形態において、装飾模様層２０は、エッチング処理によって透光性蓋板２の板面に形成される。エッチング処理によって光性蓋板２の板面に装飾模様層２０が形成されると、太陽電池モジュールの重量が減少され、太陽電池モジュールは、建材一体型太陽光発電に基づく建物の軽量化要求をより容易に満たすようなる。
【００５４】
上記透光性蓋板２の板面は、電池機能層１２の受光面と平行する。
【００５５】
第２方式：図４に示すように、本発明の幾つかの実施形態において、装飾模様層は、透光性蓋板２に形成される模様フィルム層６であり、当該模様フィルム層６は接着性模様フィルム、普通の模様フィルム又はコーティング層であってもよい。模様フィルム層６上の模様は、模様フィルム層６の一部又は全体に亘って設けられるものであるか、模様フィルム層６のみに設けられたパターンであってもよい。この場合、模様フィルム層６を透光性蓋板２に形成することにより、太陽電池モジュールは、光起電力発電ができるほか、装飾材料としても建材一体型太陽光発電に基づく建物に適用することができる。
【００５６】
さらに、図３及び図４に示すように、本発明の幾つかの実施形態では、眩光防止の目的を具現化するため、装飾模様層は、透光性蓋板２の電池機能層１２とは反対側の表面に形成される。
【００５７】
例えば、本発明の幾つかの実施形態において、太陽電池モジュールは、ガラスカーテンウォールなどの建材一体型太陽光発電に基づく建物に適用される場合、建材一体型太陽光発電に基づく建物の外観色の多様化を実現するため、以下の３つの方法は採用可能である。この場合、太陽電池モジュールは、有彩色シリーズモジュール、又は透光性の有彩色ガラスシリーズのモジュールであってもよい。
【００５８】
第１方式：図５に示すように、建材一体型太陽光発電に基づく建物の外観色の多様化を実現するため、透光性蓋板２は有彩色蓋板であり、即ち、透光性蓋板２は有彩色ガラス又は有彩色高分子材料からなる蓋板である。
【００５９】
なお、本発明の実施形態において、透光性蓋板２が透明性前面板である場合、該有彩色蓋板は有彩色蓋板と呼ばれる。または、透光性蓋板２が前面板保護板である場合、該有彩色蓋板は有彩色前面板保護板と呼ばれる。
【００６０】
第２方式：図６に示すように、建材一体型太陽光発電に基づく建物の外観色の多様化を実現するため、透光性蓋板２の板面には有彩色フィルム層７が形成されている。有彩色フィルム層７は、全体が有彩色を呈する少なくとも１つの反射塗膜層又は有彩色塗膜層であってもよい。反射塗膜層は、透光性蓋板２を覆い、且つ有彩色を呈する。太陽光は反射塗膜層に照射し、そして反射され、透光性蓋板２に彩色となす視覚効果を持たせる。反射塗膜層は、電気メッキ又はマグネトロンスパッタリング法などによって透光性蓋板２に塗布されてもよく、反射塗膜層の材質は、透光性蓋板２の有彩色効果があればよく、必要に応じて決定することができる（例えば、チタン）。有彩色塗膜層は、接着剤によって透光性蓋板２に接着され、自らの色によって透光性蓋板２に有彩色効果を持たせる。有彩色塗膜層の材料（例えば、有彩色プラスチックフィルム）も、透光性蓋板２に有彩色効果を持たせばよく、必要に応じて決定することができる。本方式において、有彩色フィルム層７を長期に亘り室外に晒させると、色褪せなどが発生する不具合がある。よって、本方式では、有彩色フィルム層７を透光性蓋板２の電池機能層１２に対向する表面に形成することによって、有彩色フィルム層７を大気に晒させず、保護することができる。
【００６１】
第３方法：図７に示すように、本発明の幾つかの実施形態において、透光性蓋板２と電池機能層１２の受光面が第１の接着フィルム４によって接着される場合、第１の接着フィルム４を透明有彩色接着フィルムに限定して、透光性前面板２と電池機能層１２の受光面を接着すると共に、建材一体型太陽光発電に基づく建物の外観色の多様化を実現する。
【００６２】
上記３つの方法による太陽電池モジュールは、ガラスカーテンウォールなどの建材一体型太陽光発電に基づく建物に適用される場合、建物の見栄えを良くするだけでなく、従来の建材一体型太陽光発電に基づく建物に比べると、有彩色蓋板、有彩色フィルム層７又は透明有彩色接着フィルムは光透過率が低いため、太陽光の照度がある程度で抑制され、光線の強すぎによる電池機能層１２の使用寿命の短縮を避け、電池機能層１２に更なる保護を与えることができる。
【００６３】
また、本発明の幾つかの実施形態に係る太陽電池モジュールは、ガラスカーテンウォールなどの建材一体型太陽光発電に基づく建物に適用される場合、遮音、保温、断熱などの効果を実現し、入居者の入居体験を向上させる。上記太陽電池モジュールは、中空断熱・遮音シリーズ製品として適用されてもよい。
【００６４】
図８に示すように、上記太陽電池モジュールは、保護基材３の太陽電池セル１とは反対側に設けられた中空部材２０をさらに備える。
【００６５】
上記中空部材２０は、互いに対向して設けられた第１のプレート２０１及び第２のプレート２０２を含む。上記第２のプレート２０１と上記第２のプレート２０２との間には、空気を充填するためのエアチャンバ２０３が形成されている。
【００６６】
本発明では、上記第１のプレート２０１及び第２のプレート２０２の材質は、特に限定されず、高分子材料でもよく、ガラスでもよい。第１のプレート２０１及び第２のプレート２０２がガラスからなる場合、上記中空部材２０は中空ガラスである。これにより、上記エアチャンバ２０３によって外部の熱風と冷風とを混合することができ、室内の熱風や冷風の損失を減少して保温効果を得ることができる。また、上記エアチャンバ２０３は、外部の騒音を吸収することができるので、騒音の低減に寄与できる。
【００６７】
なお、本発明の幾つかの実施形態において、上記太陽電池モジュールは、少なくとも２つの上記中空部材２０を有し、この複数の中空部材２０は、遮音・断熱効果を向上するように、重畳して配置されている。
【００６８】
複数の中空部材２０が重畳して配置される場合、隣接する２つの中空組立体２０のエアチャンバ２０３は、１つの基板を共有することができる。例えば、図９に示すように、太陽電池モジュールは２つの中空部材２０を有し、上方に位置する中空部材２０の第１のプレート２０１は、下方に位置する中空部材２０の第２のプレート２０２としても利用される。残りの複数の中空部材２０の重畳配置方法は、上述記載と同様であり、ここではその説明を省略する。
【００６９】
上記実施形態の説明において、具体的な特徴、構造、材料又は特点は、何れか１つ又は複数の実施形態又は例において、適宜組み合わせ可能である。
【００７０】
保護基材３の異なる配置方式に応じ、上記太陽電池モジュールの他の構造を例として説明する。
【００７１】
例２
上記保護基材３は、基板保護板を備える。
【００７２】
本発明の幾つかの実施形態において、透光性蓋板２及び保護基材３は、以下の方法によって基板１１に対する保護を具現化する。
【００７３】
第１方式：保護基材３、透光性蓋板２及び基板の材質を限定し、保護基材３及び透光性蓋板２の強度を基板１１の強度より大きくすることにより、基板１１を保護する目的を実現する。
【００７４】
例えば、基板１１は一般的に普通のガラスであるが、本発明の幾つかの実施形態において、保護基材３及び透光性蓋板２に強化ガラスを用い、保護基材３及び透光性蓋板２の強度を透明板２の強度より高くする。
【００７５】
さらに、保護基材３と透光性蓋板２はいずれも弾性基材である。弾性基材は、弾性特性をもって太陽電池モジュールが受ける衝撃を緩和し、保護基材３及び透光性蓋板２の強度が基板１１の強度より大きくなるようにする。この場合、保護基材３及び透光性蓋板２は、弾性力を利用して衝撃力を緩和し、基板１１を保護することができる。ここで注意すべきことは、太陽光が透光性蓋板２を透過して電池機能層１２に確実に照射できるように、少なくとも透光性蓋板２としての弾性基板は、透明又は透光性を有する必要がある。透光性弾性基板は、ポリウレタン材料からなる透光性弾性基板、又はエチレンアクリル酸系共重合体からなる透光性基板である。
【００７６】
透光性蓋板２と保護基材３の強度が異なる場合、保護基材３と透光性蓋板２が基板１１に対する保護強度も異なり、基板１１の受力が不均一で、割れる場合がある。これに鑑み、本発明の幾つかの実施形態において、保護基材３と透光性蓋板２の強度は同じである。例えば、保護基材３と透光性蓋板２はいずれも強化ガラスである場合、保護基材３と透光性蓋板２の厚さを同一にすることが好ましい。保護基材３と透光性蓋板２が共に弾性基板である場合、保護基材３と透光性蓋板２に用いられる弾性材料は、同一材質であり、厚さも同一である必要がある。
【００７７】
第２方式：保護基材３、透光性蓋板２及び基板１１を同一材料に限定し、かつ保護基材３及び透光性蓋板２の厚さを基板１１よりも厚くすることにより、保護基材３及び透光性蓋板２に比較的に高い強度を持たせる。例えば、前面板保護板３、基板保護板及び基板１１が何れも普通のガラスである場合、保護基材３及び透光性蓋板２の厚さを基板１１の厚さより厚くする。
【００７８】
保護基材３が基板保護板を含み、上記保護基材３を有する太陽電池モジュールが、不透光有彩色シリーズ部材、不透光石模様シリーズ部材、透光性カラーガラス板シリーズ部材又は透光性中空防音・断熱シリーズ部材である場合の、その配置方式は、上述した方式と同様であり、ここではその説明を省略する。
【００７９】
以上は、本発明の一部の実施形態に対する例示的な説明であり、本発明の技術的範囲を限定するとは意図しない。当業者が本発明の技術範囲内において、容易に想到できる変形又は置換は、本発明の保護範囲内に含まれるものとする。したがって、本発明の保護範囲は特許請求の範囲に準じる。
【図１】
2019197879.tif 000003
【図２】
2019197879.tif 000004
【図３】
2019197879.tif 000005
【図４】
2019197879.tif 000006
【図５】
2019197879.tif 000007
【図６】
2019197879.tif 000008
【図７】
2019197879.tif 000009
【図８】
2019197879.tif 000010
【図９】
2019197879.tif 000011